(57)【要約】  照明器具のファクトリーリセットを実施するためのシステム。システムは、照明器具とユーザデバイスとを含み、ユーザデバイスは、第１の通信媒体を介して照明器具に、照明器具のファクトリーリセットタイムアウト期間の開始をトリガするためのメッセージを送信するように構成される。照明器具は、照明器具のファクトリーリセットタイムアウト期間の開始をトリガするためのメッセージを受信するように構成される。ユーザデバイスはさらに、第２の、異なる通信媒体を介して照明器具に、照明器具のファクトリーリセットをトリガするためのファクトリーリセットコード（ＦＲＣ）を含むコマンドを送信するように構成される。照明器具はさらに、ＦＲＣを含むコマンドを受信するように構成される、及び、ＦＲＣを含むコマンドがファクトリーリセットタイムアウト期間内にユーザデバイスから受信される場合、照明器具のファクトリーリセットを実施するように構成される。
2021520617.tif 000002
【特許請求の範囲】
【請求項１】
照明器具と、
ユーザデバイスと、
を含む、システムであって、
前記ユーザデバイスは、前記照明器具に、前記照明器具のファクトリーリセットタイムアウト期間の開始をトリガするためのメッセージを送信するように構成され、前記メッセージは、第１の通信媒体を介して送信され、
前記照明器具は、前記ユーザデバイスから、前記照明器具のファクトリーリセットタイムアウト期間の開始をトリガするための前記メッセージを受信するように構成され、前記メッセージは、前記第１の通信媒体を介して受信され、
前記ユーザデバイスは、前記照明器具に、前記照明器具のファクトリーリセットをトリガするためのファクトリーリセットコードを含むコマンドを送信するように構成され、前記コマンドは、第２の、異なる通信媒体を介して送信され、
前記照明器具は、前記ユーザデバイスから、ファクトリーリセットコードを含む前記コマンドを受信するように構成され、前記コマンドは、前記第２の通信媒体を介して受信され、
前記照明器具は、ファクトリーリセットコードを含む前記コマンドが前記ファクトリーリセットタイムアウト期間内に前記ユーザデバイスから受信される場合、該照明器具のファクトリーリセットを実施するように構成される、
システム。
【請求項２】
前記第２の通信媒体は、ａ）赤外線、ｂ）コード化光、ｃ）ラジオ又はｄ）近距離通信のうちの１つである、請求項１に記載のシステム。
【請求項３】
前記第２の通信媒体は、前記ユーザデバイスから前記照明器具への前記コマンドの送信を制限する少なくとも１つの追加の物理的制約を有する、請求項１又は２に記載のシステム。
【請求項４】
前記少なくとも１つの追加の物理的制約は、ａ）前記照明器具と前記ユーザデバイスとの間の視線を必要とすること、及びｂ）前記照明器具と前記ユーザデバイスとの間の物理的接触を必要とすることのうちの少なくとも１つを含む、請求項３に記載のシステム。
【請求項５】
前記照明器具は、ファクトリーリセットコードを含む前記コマンドが前記ファクトリーリセットタイムアウト期間内に受信されるかどうかを判断するように構成される、請求項１乃至４のいずれか一項に記載のシステム。
【請求項６】
前記第１の通信媒体は、ラジオである、請求項１乃至５のいずれか一項に記載のシステム。
【請求項７】
前記第１の通信媒体は、前記ユーザデバイスと前記照明器具との間の有線通信接続である、請求項１乃至４のいずれか一項に記載のシステム。
【請求項８】
前記ファクトリーリセットタイムアウト期間をトリガするためのメッセージは、前記ファクトリーリセットタイムアウト期間を含む、請求項１乃至７のいずれか一項に記載のシステム。
【請求項９】
前記ユーザデバイスは、前記ユーザデバイスのユーザが前記ファクトリーリセットタイムアウト期間を設定することを可能にするように構成される、請求項１乃至８のいずれか一項に記載のシステム。
【請求項１０】
当該システムは、第２の照明器具を含み、
前記ユーザデバイスは、前記第２の照明器具に、前記第２の照明器具の第２のファクトリーリセットタイムアウト期間の開始をトリガするための第２のメッセージを送信するように構成され、前記第２のメッセージは、前記第１の通信媒体を介して送信され、
前記第２の照明器具は、前記ユーザデバイスから、前記第２の照明器具のファクトリーリセットタイムアウト期間の開始をトリガするための前記第２のメッセージを受信するように構成され、前記第２のメッセージは、前記第１の通信媒体を介して受信され、
前記ユーザデバイスは、前記第２の照明器具に、前記第２の照明器具のファクトリーリセットをトリガするためのファクトリーリセットコードを含む第２のコマンドを送信するように構成され、前記第２のコマンドは、前記第２の通信媒体を介して送信され、
前記第２の照明器具は、前記ユーザデバイスから、ファクトリーリセットコードを含む前記第２のコマンドを受信するように構成され、前記第２のコマンドは、前記第２の通信媒体を介して受信され、
前記第２の照明器具は、ファクトリーリセットコードを含む前記第２のコマンドが前記第２のファクトリーリセットタイムアウト期間内に前記ユーザデバイスから受信される場合、該第２の照明器具のファクトリーリセットを実施するように構成される、請求項１乃至９のいずれか一項に記載のシステム。
【請求項１１】
前記ユーザデバイスは、当該システム内の１つ以上の照明器具のファクトリーリセットタイムアウト期間の開始をトリガするための単一のメッセージをブロードキャストするように構成され、前記単一のメッセージは、前記第１の通信媒体を介してブロードキャストされる、請求項１０に記載のシステム。
【請求項１２】
１つ以上の照明器具が同じファクトリーリセットコードを共有し、前記ユーザデバイスは、前記共有されるファクトリーリセットコードを含む単一のコマンドをブロードキャストするように構成され、前記単一のコマンドは、前記第２の通信媒体を介してブロードキャストされる、請求項１０又は１１に記載のシステム。
【請求項１３】
ユーザデバイスから照明器具に、前記照明器具のファクトリーリセットタイムアウト期間の開始をトリガするためのメッセージを送信するステップであって、前記メッセージは、第１の通信媒体を介して送信される、ステップと、
前記照明器具において前記ユーザデバイスから、前記照明器具のファクトリーリセットタイムアウト期間の開始をトリガするための前記メッセージを受信するステップであって、前記メッセージは、前記第１の通信媒体を介して受信される、ステップと、
前記ユーザデバイスから前記照明器具に、前記照明器具のファクトリーリセットをトリガするためのファクトリーリセットコードを含むコマンドを送信するステップであって、前記コマンドは、第２の、異なる通信媒体を介して送信される、ステップと、
前記照明器具において前記ユーザデバイスから、ファクトリーリセットコードを含む前記コマンドを受信するステップであって、前記コマンドは、前記第２の通信媒体を介して受信される、ステップと、
ファクトリーリセットコードを含む前記コマンドが前記ファクトリーリセットタイムアウト期間内に前記ユーザデバイスから受信される場合、前記照明器具のファクトリーリセットを実施するステップと、
を含む、方法。
【請求項１４】
照明器具であって、
第１の通信媒体を介してユーザデバイスから、当該照明器具のファクトリーリセットタイムアウト期間の開始をトリガするためのメッセージを受信するように構成される第１のレシーバと、
第２の、異なる通信媒体を介して前記ユーザデバイスから、ファクトリーリセットコードを含むコマンドを受信するように構成される第２のレシーバと、
ファクトリーリセットコードを含む前記コマンドが前記ファクトリーリセットタイムアウト期間内に受信されるかどうかを判断する、及び
ファクトリーリセットコードを含む前記コマンドが前記ファクトリーリセットタイムアウト期間内に前記ユーザデバイスから受信されることが判断される場合、当該照明器具のファクトリーリセットを実施するように構成されるコントローラと、
を含む、照明器具。
【請求項１５】
ユーザデバイスであって、
照明器具に、該照明器具のファクトリーリセットタイムアウト期間の開始をトリガするためのメッセージを送信するように構成される第１のトランスミッタであって、前記メッセージは、第１の通信媒体を介して送信される、第１のトランスミッタと、
前記照明器具に、前記照明器具のファクトリーリセットをトリガするためのファクトリーリセットコードを含むコマンドを送信するように構成される第２のトランスミッタであって、前記コマンドは、第２の、異なる通信媒体を介して送信される、第２のトランスミッタと、
前記第１のトランスミッタに前記照明器具のファクトリーリセットタイムアウト期間の開始をトリガするための前記メッセージを送信させる、及び
前記第２のトランスミッタにファクトリーリセットコードを含む前記コマンドを送信させるように構成されるコントローラと、
を含む、ユーザデバイス。
【発明の詳細な説明】
【技術分野】
【０００１】
本開示は、照明器具のファクトリーリセットを実施することに関する。
【背景技術】
【０００２】
コネクテッドライティング(Connected lighting)は、従来の有線、電気的オンオフ又は調光回路によって制御されるものではなく（又は制御されるだけでなく）、有線接続又はより多くは無線接続、例えば、有線又は無線ネットワークを介すデータ通信プロトコルを使用して制御される１つ以上の照明器具（又は照明源）のシステムを指す。典型的には、複数の照明器具、ましては照明器具内の個々のランプが、各々、Ｚｉｇｂｅｅ、Ｗｉ−Ｆｉ又はＢｌｕｅｔｏｏｔｈ等の無線ネットワークプロトコルに従って照明制御デバイスから照明制御コマンドを受信するため（また場合によっては、無線ネットワークプロトコルを使用して照明制御デバイスにステータスレポートを送信するため）の無線レシーバ又はトランシーバを備えてもよい。照明制御デバイスは、ユーザ端末、例えば、スマートフォン、タブレット、ラップトップ若しくはスマートウォッチ等のポータブルユーザ端末の形態、又はデスクトップコンピュータ若しくはワイヤレスウォールパネル等の静的なユーザ端末の形態を取ってもよい。そのような場合、照明制御コマンドは、ユーザ端末のユーザインターフェース（例えば、タッチスクリーン又はポイントアンドクリックインターフェース）を介してユーザによってアプリケーションに提供されるユーザ入力に基づいて、及び／又はアプリケーションの自動機能に基づいて、ユーザ端末上で実行されるアプリケーションから生じてもよい。ユーザ機器は、照明制御コマンドを照明器具に直接送信してもよく、又は無線ルータ、アクセスポイント、若しくは照明ブリッジ等の中間デバイスを介して送信してもよい。
【０００３】
業務用照明市場(professional lighting market)では、例えば、（リモート）スケジューリング、エネルギモニタリング、センサベースの照明制御、アセットマネジメント等の機能を可能にするコネクテッドライティングシステムへの移行が進んでいる。多くの場合、これらのシステムは既存の建物に設置され、その場合、天井から（照明制御のための）ケーブルを引く必要がないように、ワイヤレスネットワークが好まれる。現在広く使用されているワイヤレスネットワークプロトコルの例としては、ＩＥＥＥ  ８０２．１５．４、８０２．１５．１又は８０２．１１規格の上に構築された様々な独自のネットワーク実装、及びＺｉｇＢｅｅ、Ｔｈｒｅａｄ、ＢＬＥメッシュ、Ｗｉ−Ｆｉ等のオープン規格がある。
【０００４】
ネットワーク化された照明システムが使用され得る前に、まずシステムは、コミッショニングされなければならない。これは、すべての関連する無線照明器具が、単一のネットワークに接続され、必要に応じて、異なるグループ及びゾーンに追加され、各々が独自の挙動を有することを意味する。これを行うため、インストーラ又はコミッショナは、個々の照明器具と通信し、ネットワークに参加する並びに／又はこれらのグループ及びゾーンに当該照明器具を追加するための適切なコマンドを該照明器具に送信しなければならない。
【０００５】
これは、現在２つの異なる方法で実施されている。最も基本的な場合では、コントローラボックス（又は最初の照明器具）が、他の照明器具がネットワークに参加することを可能にする当該ネットワークを開くように命令される。多くの場合、工場出荷時の状態(factory-new state)の無線ネットワークは、自動的にオープンネットワークを探し始め、自動的にこのネットワークに参加する（これは「自動参加(auto-joining)」と呼ばれることがある）。この最初の自動参加段階の後、インストーラは、例えば、ブリンクサーチ(blink search)を行うことにより、ネットワーク内でグループ及びゾーンを形成することを始めることができる。このブリンクサーチの間、インストーラは、１つ以上の照明器具に（多かれ少なかれランダムに）コマンドを与え、ブリンキングにより、該照明器具がどこにあるか、又は何であるかを識別する。その後、インストーラは、照明器具がどのグループ又はゾーンに属するかを決定する、及びその時点で特定のグループに照明器具を追加するか否かを決定することができる。ブリンキングは、インストーラが、（暗黙的に当該照明器具を関連するグループに割り当てる）マップ上（例えばタブレット上）のどこに照明器具が位置するかを示す必要があるシステムによって行われることもできる。代替的に、インストーラは、コミッショニングプロセス中にどの照明器具が特定のグループに追加されるべきかを識別するために照明器具のセンサに信号を送るポインティングデバイス（例えば、ＩＲリモートコントロール又はフラッシュライト）を使用する。
【発明の概要】
【発明が解決しようとする課題】
【０００６】
このプロセス中に、照明器具は、間違った照明器具のグループ又は間違ったネットワークに陥る可能性がある。例えば、建物全体で複数のグループ又はネットワークが使用される、及び複数のインストーラが並行して作業している場合、照明器具は、間違ったグループ又は間違ったネットワークに配置される可能性がある。また、別の目的（例えば、ＨＶＡＣ）のために建物内に他の無線ネットワーク（「オープン」状態）がある可能性がある。この理由のため、ほとんどの既存のシステムは、「ファクトリーリセット」コマンドを送信する方法を提供している。これは、照明器具内のネットワーク構成(network configuration)を効果的にリセットし、当該照明器具が別のネットワークの一部になること（及び照明器具に再びオープンネットワークを検索させることによりコミッショニングステップをリトライすること）を可能にする。
【０００７】
米国特許出願公開第ＵＳ  ２０１１０１４９８０３  Ａ１号は、無線ネットワークシステム及び無線ネットワークシステムをコミッショニングするための方法に関する。ネットワークシステムは、少なくともネットワークデバイス及び参加デバイスを含む。コミッショニングモードでは、ネットワークデバイスは、ネットワーク識別情報をブロードキャストする。参加デバイスは、ネットワーク識別情報を受信すると、該参加デバイスの事前定義されたアドレスを含む、ネットワークに参加するための要求を前記ネットワークデバイスに送信する。ネットワークデバイスは、前記参加デバイスにネットワークアドレスを割り当て、対応するデータを格納する。ネットワークデバイスは、前記事前定義されたアドレスを用いて少なくとも前記ネットワークアドレスを含む参加情報を前記参加デバイスに送信し、前記参加デバイスは、前記ネットワークアドレスを受信し、これにより、参加デバイスは、前記ネットワークアドレスを用いてネットワークシステム内でアドレス指定可能となる。
【課題を解決するための手段】
【０００８】
本明細書に開示される第１の態様によれば、照明器具とユーザデバイスとを含む、システムであって、ユーザデバイスは、照明器具に、照明器具のファクトリーリセットタイムアウト期間(factory reset time-out period)の開始(onset)をトリガするためのメッセージを送信するように構成され、メッセージは、第１の通信媒体を介して送信され、照明器具は、ユーザデバイスから、照明器具のファクトリーリセットタイムアウト期間の開始をトリガするためのメッセージを受信するように構成され、メッセージは、第１の通信媒体を介して受信され、ユーザデバイスは、照明器具に、照明器具のファクトリーリセットをトリガするためのファクトリーリセットコード（ＦＲＣ：factory reset code）を含むコマンドを送信するように構成され、コマンドは、第２の、異なる通信媒体を介して送信され、照明器具は、ユーザデバイスから、ＦＲＣを含むコマンドを受信するように構成され、コマンドは、第２の通信媒体を介して受信され、照明器具は、ＦＲＣを含むコマンドがファクトリーリセットタイムアウト期間内にユーザデバイスから受信される場合、照明器具のファクトリーリセットを実施するように構成される、システムが提供される。
【０００９】
照明器具のファクトリーリセットを実施するための以前の方法は、セキュアではなく、斯くして、悪意のあるユーザが照明器具又は照明器具のシステムの動作を妨害することを可能にする点で不具合がある。しかしながら、本システムは、ユーザが、ファクトリーリセットを実施するために存在し、照明器具の近くにいることを必要とする。
【００１０】
第１の無線通信媒体は、第１の無線通信技術によって決定される第１の、限定された物理的範囲を有する。第２の無線通信媒体は、第２の無線通信技術によって決定される第２の、限定された物理的範囲を有する。
【００１１】
本発明は、誤ってコミッショニングされた照明器具、例えば、自動コミッショニングプロセスの結果、誤ってコミッショニングされた照明器具が、個別に対処され、近くのコミッショナによってデバイスがリセットされることができる状態に置かれることを可能にする。このようにして、例えば、ある照明器具が部屋の他の照明器具と一緒の「部屋」グループにならず、その代わりに隣接する部屋に属するグループにコミッショニングされてしまった状況を修正することを可能にし得る。コミッショナが照明器具をリセットした後、照明器具はリトライしてもよく、及び／又は、コミッショナがデバイスを正しくコミッショニングしてもよい。ファクトリーリセットタイムアウト期間の開始をトリガするためのメッセージは、とりわけ１つの特定の照明器具（単一のターゲット）に向けられてもよく、又は、例えば、リセットされるべきデバイスの全ての若しくは代替的にはいくつかへのグループキャスト／マルチキャストメッセージを使用して、複数の照明器具に向けられてもよい。
【００１２】
ある実施形態では、第２の通信媒体は、（ａ）赤外線、（ｂ）コード化光(coded light)、（ｃ）ラジオ(radio)又は（ｄ）近距離通信のうちの１つであってもよい。
【００１３】
ある実施形態では、第２の通信媒体は、例えば、空気中での信号伝搬に起因する単に限定された範囲（半径）以外の、ユーザデバイスから照明器具へのコマンドの送信を制限する少なくとも１つの追加の物理的制約(physical constraint)を有してもよい。
【００１４】
ある実施形態では、少なくとも１つの追加の物理的制約は、（ａ）照明器具とユーザデバイスとの間の視線(line-of-sight)を必要とすること、及び（ｂ）照明器具とユーザデバイスとの間の物理的接触を必要とすることのうちの少なくとも１つを含んでもよい。
【００１５】
ある実施形態では、照明器具は、ＦＲＣを含むコマンドがファクトリーリセットタイムアウトウインドウ内に受信されるかどうかを判断するように構成されてもよい。
【００１６】
例えば、メッセージ及びコマンドは、送信タイムスタンプを含んでもよい。別の例では、照明器具は、メッセージ及びコマンドの到着タイム(time of arrival)を記録してもよい。
【００１７】
ある実施形態では、第１の通信媒体は、ラジオであってもよい。
【００１８】
ある実施形態では、第１の通信媒体は、ユーザデバイスと照明器具との間の有線通信接続であってもよい。
【００１９】
ある実施形態では、ファクトリーリセットウインドウをトリガするためのメッセージは、ファクトリーリセットタイムアウト期間を含んでもよい。
【００２０】
ある実施形態では、ユーザデバイスは、ユーザデバイスのユーザがファクトリーリセットタイムアウト期間を設定することを可能にするように構成されてもよい。
【００２１】
ある実施形態では、システムは、第２の照明器具を含み、ユーザデバイスは、第２の照明器具に、第２の照明器具の第２のファクトリーリセットタイムアウト期間の開始をトリガするための第２のメッセージを送信するように構成され、第２のメッセージは、第１の通信媒体を介して送信され、第２の照明器具は、ユーザデバイスから、第２の照明器具のファクトリーリセットタイムアウト期間の開始をトリガするための第２のメッセージを受信するように構成され、第２のメッセージは、第１の通信媒体を介して受信され、ユーザデバイスは、第２の照明器具に、第２の照明器具のファクトリーリセットをトリガするためのファクトリーリセットコード（ＦＲＣ）を含む第２のコマンドを送信するように構成され、第２のコマンドは、第２の通信媒体を介して送信され、第２の照明器具は、ユーザデバイスから、ＦＲＣを含む第２のコマンドを受信するように構成され、第２のコマンドは、第２の通信媒体を介して受信され、第２の照明器具は、ＦＲＣを含む第２のコマンドが第２のファクトリーリセットタイムアウト期間内にユーザデバイスから受信される場合、第２の照明器具のファクトリーリセットを実施するように構成されてもよい。
【００２２】
ある実施形態では、ユーザデバイスは、システム内の各照明器具のファクトリーリセットタイムアウト期間の開始をトリガするための単一のメッセージをブロードキャストするように構成され、単一のメッセージは、第１の通信媒体を介してブロードキャストされてもよい。
【００２３】
ある実施形態では、各照明器具が同じＦＲＣを共有してもよく、ユーザデバイスは、共有されるＦＲＣを含む単一のコマンドをブロードキャストするように構成され、単一のコマンドは、第２の通信媒体を介してブロードキャストされてもよい。
【００２４】
ある実施形態では、ユーザデバイスは、ユーザデバイスのメモリにＦＲＣを記憶するように構成されてもよい。
【００２５】
本明細書に開示される第２の態様によれば、ユーザデバイスから照明器具に、照明器具のファクトリーリセットタイムアウト期間の開始をトリガするためのメッセージを送信するステップであって、メッセージは、第１の通信媒体を介して送信される、ステップと、照明器具においてユーザデバイスから、照明器具のファクトリーリセットタイムアウト期間の開始をトリガするためのメッセージを受信するステップであって、メッセージは、第１の通信媒体を介して受信される、ステップと、ユーザデバイスから照明器具に、照明器具のファクトリーリセットをトリガするためのファクトリーリセットコード（ＦＲＣ）を含むコマンドを送信するステップであって、コマンドは、第２の、異なる通信媒体を介して送信される、ステップと、照明器具においてユーザデバイスから、ＦＲＣを含むコマンドを受信するステップであって、コマンドは、第２の通信媒体を介して受信される、ステップと、ＦＲＣを含むコマンドがファクトリーリセットタイムアウト期間内にユーザデバイスから受信される場合、照明器具のファクトリーリセットを実施するステップとを含む、方法が提供される。
【００２６】
本明細書に開示される第３の態様によれば、照明器具であって、第１の通信媒体を介してユーザデバイスから、照明器具のファクトリーリセットタイムアウト期間の開始をトリガするためのメッセージを受信するように構成される第１のレシーバと、第２の、異なる通信媒体を介してユーザデバイスから、ファクトリーリセットコード（ＦＲＣ）を含むコマンドを受信するように構成される第２のレシーバと、ＦＲＣを含むコマンドがファクトリーリセットタイムアウト期間内に受信されるかどうかを判断する、及びＦＲＣを含むコマンドがファクトリーリセットタイムアウト期間内にユーザデバイスから受信されることが判断される場合、照明器具のファクトリーリセットを実施するように構成されるコントローラとを含む、照明器具が提供される。
【００２７】
本明細書に開示される第４の態様によれば、ユーザデバイスであって、照明器具に、照明器具のファクトリーリセットタイムアウト期間の開始をトリガするためのメッセージを送信するように構成される第１のトランスミッタであって、メッセージは、第１の通信媒体を介して送信される、第１のトランスミッタと、照明器具に、照明器具のファクトリーリセットをトリガするためのファクトリーリセットコード（ＦＲＣ）を含むコマンドを送信するように構成される第２のトランスミッタであって、コマンドは、第２の、異なる通信媒体を介して送信される、第２のトランスミッタと、第１のトランスミッタに照明器具のファクトリーリセットタイムアウト期間の開始をトリガするためのメッセージを送信させる、及び第２のトランスミッタにＦＲＣを含むコマンドを送信させるように構成されるコントローラとを含む、ユーザデバイスが提供される。
【図面の簡単な説明】
【００２８】
本開示の理解を支援するために、及び、どのようにして実施形態が実施され得るかを示すために、例として、添付の図面が参照される。
【図１】照明システムを含む例示的な環境を概略的に示す。
【図２】複数の照明器具がネットワークグループに分割されている一例を概略的に示す。
【図３】照明器具のファクトリーリセットを実施するための例示的なシステムを概略的に示す。
【図４】本明細書で述べられる実施形態の例示的なタイミング図を概略的に示す。
【発明を実施するための形態】
【００２９】
ワイヤレスコネクテッドライティングシステムでは、物理的な設置後の最初のステップは、ネットワークのコミッショニングである。これは、異なるワイヤレス照明器具を、照明器具が互いに通信する、及び、所望であれば、中央照明ブリッジ等のワイヤレスゲートウェイと通信することができる、ネットワークグループに配置する。場合によっては、コミッショニングプロセスは意図した通りに進まず、間違った照明器具がネットワークに入ってしまうことがある（又は、希望する照明器具が別のネットワークに入ってしまうことがある）。これを訂正するには、これらの照明器具をファクトリーリセットモードに復元してから、コミッショニングプロセスを再試行することにより既存のネットワークグループからこれらの照明器具を除去することができる。
【００３０】
照明器具のファクトリーリセットを実施するための以前の方法では、いかなる形態のセキュリティも組み込まれていないため、悪意のある者がネットワークから照明器具を除去し、ワイヤレス照明システムの正しい機能性を無効にし得る可能性がある。例えば、照明器具の除去は、除去された照明器具からのセンサベースの占有検出が、もはや同じゾーン又はグループ内の他の照明器具に届かず、それゆえ、これらの照明器具は、もはやこのセンサに応答しないことを意味する。さらに、これは逆の方向にも作用し、影響を受けた照明器具は、もはやグループの他のメンバからのセンサ検出を受け取らなくなり、それゆえ、それらに応答しなくなる。さらに、（例えば、ビルオートメーション環境からの）調光コマンド又はグローバルオン／オフは、当該照明器具のアプリケーションロジックに届かないので、無期限に同じ（オン又はオフ）状態のままである。これらの理由から、とりわけ、「ファクトリーリセットコマンド」又は「ファクトリーリセットコード」（ＦＲＣ）は、（例えば、照明ネットワークへのハッキングにより）権限のない人によって照明器具に伝達され得ず、代わりにシステムメンテナンスを担当するインストーラによってのみ与えられることが必要である。
【００３１】
本発明の実施形態は、照明器具の近くにいる認可されたユーザのみが、照明器具のファクトリーリセットをトリガすることができることを保証する。
【００３２】
デバイスが単一のネットワーク内の誤ったグループ／ゾーンに陥っている場合、ファクトリーリセットタイムアウト期間の開始を促すメッセージは、該ネットワークを介して送信されてもよい。しかしながら、照明器具が他のネットワークに参加している場合、メッセージは、該他のネットワーク上で送信される必要があることは明らかであろう。いずれの場合も、「トリガ」メッセージは、照明器具が接続されている／されてしまっているネットワークを介して照明器具に送信される必要があろう。
【００３３】
図１は、本明細書に開示される実施形態が使用され得る例示的な環境１００を示す。環境１００は、１人以上のユーザ１０２によって占有される可能性がある空間である。環境１００は、家、オフィス若しくは他の建物の１つ以上の部屋等の屋内空間、庭若しくは公園等の屋外空間、ガゼボ等の部分的に覆われた空間、又は屋内空間及び屋外空間の両方を含むキャンパス、スタジアム若しくは他の公共空間等のそのような空間の組み合わせの形態をとってもよい。
【００３４】
環境１００は、環境１００内の異なる場所に設置又は配置される１つ以上の照明器具１０４を備える。照明器具１０４は、例えばアンビエント照明又は特別なタスク照明のどちらを提供するかにかかわらず、ユーザ１０２によって占有される環境又は環境の一部を照らための任意の種類の照明デバイスを指してもよい。照明器具１０４の各々は、天井若しくは壁に取り付けられる照明器具、自立型の床若しくはテーブル照明器具、又は家具の表面若しくは家具自体に埋め込まれる照明器具等のあまり伝統的でない形態等、さまざまな可能な形態のいずれかをとってもよい。環境１００内の異なる照明器具１０４は、互いに同じ形態をとる必要はない。どのような形態をとっても、各照明器具１０４は、少なくとも１つのランプ（照明要素）と、任意の関連するハウジング、ソケット及び／又はサポートとを備える。適切なランプの例には、ＬＥＤベースのランプ、又は従来のフィラメント電球若しくはガス放電ランプが含まれる。
【００３５】
環境１００はまた、１つ以上のユーザデバイス１０６を備える。例えば、各ゾーン又は場所は、単一のそれぞれのユーザデバイス１０６を備えてもよい。代替的に、各ゾーン又は場所は、２つ以上のそれぞれのユーザデバイス１０６を備えてもよい。ユーザデバイス１０６は、例えば、携帯電話（いわゆる「スマートフォン」を含む）、パーソナルデジタルアシスタント、ページャ、タブレット及びラップトップコンピュータ、並びにウェアラブル通信デバイス（いわゆる「スマートウォッチ」を含む）を含むモバイルデバイスであってもよい。
【００３６】
図２に示されるように、いくつかのシナリオでは、環境１００内の照明器具１０４は、複数の異なるネットワークグループ２０２に配置されてもよい。各ネットワークグループ２０２は、各々が１つ以上の照明器具１０４の異なるそれぞれのサブセットによって照らされる、異なる部屋等の環境内の異なるゾーン又は場所に対応してもよい。例えば、ゾーンは、家庭内のリビングルーム、キッチン、ホール、バスルーム、複数のベッドルーム、又はオフィスビル内の複数のオフィス、廊下、受付、食堂、休憩室に対応してもよい。他の例では、ネットワークグループ２０２は、環境内の任意の特定のゾーンに対応しなくてもよい。例えば、単一のゾーン（例えば、部屋）は、２つ以上のネットワークグループ２０２を有してもよい。別の例では、ネットワークグループ２０２は、２つ以上のゾーンからの照明器具を含んでもよい。図２の例は、各々が照明器具１０４の異なるサブセットを含む、２つのネットワークグループ２０２ａ、２０２ｂを示している。
【００３７】
図３は、ユーザデバイス１０６を利用した照明器具１０４のセキュアなファクトリーリセットを実施するためのシステム３００の一例を示す。ユーザデバイス１０６は、任意選択的に、ユーザから入力を受けるように構成され、コントローラ３０４に動作可能に結合されるユーザインターフェース３０２を有してもよい。ユーザインターフェース３０２は、スクリーンの形態のディスプレイ及びユーザから入力を受けるための何らかの構成を備えてもよい。例えば、ユーザインターフェース３０２は、タッチスクリーン、又はマウス、トラックパッド、若しくはトラッカボール(tracker ball)等を含むポイントアンドクリックユーザインターフェースを含んでもよい。代替的又は追加的に、ユーザインターフェース３０２は、環境内の照明器具１０４を制御するための専用のアクチュエータ又は制御パネルを備えてもよい。例えば、ユーザデバイス１０６は、例えば、専用制御パネルの１つ以上のボタン、スライダ、スイッチ及び／又はダイヤルを使用することによって、ユーザによって操作され得る専用制御ユニット（有線又は無線）の形態であってもよい。
【００３８】
ユーザデバイス１０６のコントローラ３０４はまた、無線トランシーバ３０８、３１０を介して図１に関連して論じられた照明器具１０４に結合されてもよい。これにより、コントローラ３０４は、ユーザ１０２によって入力されるコマンドに基づいて照明器具１０４を制御してもよい。ユーザデバイス１０６及び照明器具１０４は各々、任意の適切な無線媒体を介して通信するためのそれぞれの無線トランスミッタ及びレシーバ（又はトランシーバ３０８、３１０）、例えば、ラジオチャネル(radio channel)を介して通信するためのラジオトランシーバ(radio transceiver)を備えてもよい（しかしながら、他の形態、例えば超音波又は赤外線トランシーバが除外されるものではない）。無線トランシーバ３０８、３１０は、例えば、それぞれ照明器具１０４又はユーザデバイスと、及び中央ブリッジ又はサーバ３１２と通信するためのＺｉｇＢｅｅ、Ｂｌｕｅｔｏｏｔｈ、Ｗｉ−Ｆｉ、Ｔｈｒｅａｄ、ＪｕｐｉｔｅｒＭｅｓｈ、Ｗｉ−ＳＵＮ、６ＬｏＷＰＡＮ等のインターフェースを備えてもよい。例えば、ラジオチャネルは、無線トランシーバによって使用されるものと同じラジオアクセス技術（例えば、ＺｉｇＢｅｅ、Ｂｌｕｅｔｏｏｔｈ、Ｗｉ−Ｆｉ、Ｔｈｒｅａｄ、ＪｕｐｉｔｅｒＭｅｓｈ、Ｗｉ−ＳＵＮ、６ＬｏＷＰＡＮ等）に基づいてもよい。ラジオチャネルは、照明器具１０４を制御するためにユーザデバイス１０６によって使用されることができる。
【００３９】
代替的に、無線トランシーバ３０８は、例えばＷＬＡＮ等のローカルエリアネットワーク又はインターネット等のワイドエリアネットワークを介して、中央ブリッジ又はサーバ３１２を介して照明源１０４と通信してもよい。通信は、無線トランシーバ３０８、３１０を介してもよい。代替的に、照明器具１０４は各々、例えば中央ブリッジ３１２と通信するための有線接続を有してもよい。代替的に、無線トランシーバ３１０は、例えばローカルエリアネットワーク又はインターネット等のワイドエリアネットワークを介して、中央照明ブリッジ３１２を介して及び／又は無線ネットワークを介して他の照明器具１０４と通信してもよい。代替的又は追加的に、有線接続、例えばＥｔｈｅｒｎｅｔ又はＤＭＸ接続が、制御目的で中央照明ブリッジ３１２と照明器具１０４との間、又は照明器具１０４同士の間に提供され得ることが除外されるものでもない。
【００４０】
ユーザデバイス１０６はまた、照明器具１０４のレシーバ３１６に信号を送信するように構成されるトランスミッタ３１４を備える。例えば、トランスミッタ３１４は、ＲＦＩＤ(radio frequency identification device）タグであってもよく、レシーバ３１６は、ＲＦＩＤリーダであってもよい。一例では、トランスミッタ３１４は、近距離通信（ＮＦＣ：near field communication）要素であってもよく、レシーバ３１６は、ＮＦＣリーダであってもよい。代替的に、トランスミッタ３１４は、Ｕコードタグであってもよく、レシーバ３１６は、Ｕコードリーダであってもよい。別の例では、トランスミッタ３１４は、オプティカルアイデンティファイア(optical identifier)であってもよい。例えば、オプティカルアイデンティファイアは、バーコード又はＱＲ(quick response)コードであってもよく、レシーバ３１６は、ユーザデバイス１０６に設置されたカメラ等のバーコードリーダ又はＱＲコードリーダであってもよい。別の例では、トランシーバ３１４及びレシーバ３１６は、それぞれ赤外線エミッタ及び赤外線ディテクタであってもよい。さらに別の例では、トランスミッタ３１４は、コード化光メッセージを発するように構成される、例えばランプ、トーチ又はフラッシュ等の光源であってもよく、レシーバ３１６は、コード化光メッセージを受信するように構成される、例えばカメラ等の光センサであってもよい。
【００４１】
同様に、ユーザデバイス１０６は、コントローラ３０４に動作可能に結合されるレシーバ３１８を備えてもよい。レシーバ３１８は、照明器具１０４のトランスミッタ３２０から信号を受信するために使用されてもよい。例えば、トランスミッタ３２０は、ＲＦＩＤ(radio frequency identification device）タグであってもよく、レシーバ３１８は、ＲＦＩＤリーダであってもよい。一例では、トランスミッタ３２０は、近距離通信（ＮＦＣ：near field communication）要素であってもよく、レシーバ３１８は、ＮＦＣリーダであってもよい。別の例では、トランスミッタ３２０は、オプティカルアイデンティファイア(optical identifier)であってもよい。例えば、オプティカルアイデンティファイアは、バーコード又はＱＲ(quick response)コードであってもよく、レシーバ３１８は、ユーザデバイス１０６に設置されたカメラ等のバーコードリーダ又はＱＲコードリーダであってもよい。別の例では、トランスミッタ３２０及びレシーバ３１８は、それぞれ赤外線エミッタ及び赤外線ディテクタであってもよい。さらに別の例では、トランスミッタ３２０は、コード化光メッセージを発するように構成される光源（例えば、ランプ又はフラッシュライト）であってもよく、レシーバ３１８は、例えばカメラ等の、コード化光メッセージを受信するように構成される光センサであってもよい。
【００４２】
照明器具１０４は、トランスミッタ３１６及びレシーバ３２０に動作可能に結合されるコントローラ３２２を有する。コントローラ３２２はまた、無線トランシーバ３１０に動作可能に結合されてもよい。
【００４３】
以下、例えば、照明器具１０４を再コミッショニングするために、照明器具１０４のファクトリーリセットを実施する際のセキュリティを向上させるためのシステム３００及び方法を述べる。
【００４４】
システムは、少なくとも１つの照明器具１０４と、少なくとも１つのユーザデバイス１０６とを含む。ユーザデバイス１０６は、第１の通信方法を介して照明器具１０４にメッセージを送信するように構成される。メッセージは、照明器具１０４によって受信された場合、照明器具１０４のファクトリーリセットタイムアウト期間の開始をトリガするように構成される。例えば、タイムアウトは、照明器具１０４がメッセージを受信（又は処理）した時点で始まってもよい。タイムアウト期間は、数秒、１分以上、又はそれ以上のオーダーであってもよい。
【００４５】
照明器具１０４は、第１の通信媒体を介して送信されたメッセージを受信するように構成される。すなわち、照明器具１０４は、ユーザデバイスの第１のトランスミッタ３０８を補完する第１のレシーバを備える。例えば、メッセージがラジオ接続を介して送信される場合、ユーザデバイス１０６及び照明器具は、それぞれラジオトランスミッタ３０８及びレシーバ３１０を有してもよい。代替的に、ユーザデバイス１０６及び照明器具１０４のいずれか又は両方は、ラジオトランシーバを有してもよい。
【００４６】
第１の通信媒体は、セキュアな通信媒体であってもよい。すなわち、ユーザデバイス１０６は、例えば、ユーザデバイス１０６及び照明器具１０４が互いに直接接続するメッシュネットワーク等の信頼されたネットワークを介して照明器具１０４と通信してもよい。信頼されたネットワークは、ユーザデバイス１０６が、例えば、メッセージを送信するとき、又はメッセージを送信する前に、照明器具１０４に対して自身を認証することを要求してもよい。ユーザデバイス１０６は、例えば、最初の認証の際に、一度だけ照明器具１０４に対して自身を認証することを必要としてもよい。第１の通信は、例えば、ＺｉｇＢｅｅ、Ｗｉ−Ｆｉ、又はＢｌｕｅｔｏｏｔｈ等の無線ネットワークプロトコルを使用するラジオ接続であってもよい。代替的に、第１の通信媒体は、ユーザデバイス１０６と照明器具１０４との間の有線通信接続である。例えば、有線接続は、Ｅｔｈｅｒｎｅｔ接続であってもよい。
【００４７】
ユーザデバイス１０６はまた、第１の通信方法と同じではない第２の通信媒体を介して照明器具１０４にメッセージ（すなわちコマンド）を送信するように構成される。コマンドは、照明器具１０４を工場出荷時設定にリセットするようにトリガすることができるファクトリーリセットコード（ＦＲＣ）を含む。第２の通信媒体は、限られた物理的範囲を有する。すなわち、送信されたコマンドは、ユーザデバイスの第２のトランスミッタ３１４からある距離（半径）にわたってのみ送信されることができ、及び／又は送信されたメッセージは、第２のトランスミッタ３１４からある距離（半径）内でのみ正しく受信されることができる。言い換えれば、送信されたメッセージは、第２のトランスミッタ３１４の所与の近接範囲内でのみ受信されることができる。
【００４８】
第２の通信媒体は、無線通信方法であってもよい。ここで、無線通信媒体は、無線通信チャネル、無線通信モダリティ、無線通信アクセス技術と同義である。
【００４９】
例えば、第２の通信媒体は、赤外線であってもよい。すなわち、ユーザデバイス１０６は、赤外光を介してメッセージを送信するように構成される赤外線エミッタの形態の第２のトランスミッタ３１４を有してもよい。照明器具１０４は、第２の通信媒体を介して送信されたコマンドを受信するように構成される。第２の通信方法は、第１の通信方法と同じではない。照明器具１０４は、ユーザデバイスの第２のトランスミッタ３１４を補完する第２のレシーバ３１６を備える。例えば、メッセージが赤外線接続を介して送信される場合、ユーザデバイス１０６及び照明器具１０４は、それぞれ赤外線トランスミッタ（第２のトランスミッタ３１４）及び赤外線レシーバ（第２のレシーバ３１６）を有してもよい。
【００５０】
他の例では、第２の通信媒体は、コード化光であってもよい。すなわち、ユーザデバイス１０６は、コード化光メッセージを送信するために自身の１つ以上の光源３１４を使用するように構成されてもよい。コード化光通信は、光源によって発せられる可視光に埋め込まれた信号の形態で情報が通信される技術を指す。コード化光は、可視光通信と呼ばれることもある。コード化光通信は、当技術分野で一般的に知られ、本明細書ではさらに詳細に説明しない。
【００５１】
他の例では、第２の通信媒体は、近距離通信（ＮＦＣ）であってもよい。ＮＦＣは、一般に、２つの電子デバイスを互いにある範囲内（例えば４ｃｍ）に近づけることによって通信を確立することを可能にする通信プロトコルのセットを指す。例えば、ユーザデバイス１０６は、送信されるべきメッセージのコンテンツを含むアクティブ又はパッシブＮＦＣタグ３１４を備えてもよい。
【００５２】
いくつかの例では、第２の通信媒体は、Ｕコード通信であってもよい。Ｕコード通信（典型的には８４０〜９６０ＭＨｚの周波数帯域内）は、Ｕコードタグ及びＵコードリーダを利用する。ユーザデバイス１０６は、Ｕコードタグを備えてもよい。照明器具１０４は、Ｕコードリーダを備えてもよい。Ｕコードタグは、様々な形態をとることができる。例えば、Ｕコードタグは、プリントタグ、パッシブＲＦＩＤタグ、アクティブラジオ周波数タグ、アクティブ赤外線タグ、又は音響タグであってもよい。
【００５３】
他の例として、第２の通信媒体は、ラジオであってもよい。例えば、ユーザデバイス１０６は、例えば、Ｂｌｕｅｔｏｏｔｈ、Ｂｌｕｅｔｏｏｔｈ  Ｌｏｗ  Ｅｎｅｒｇｙ、ＺｉｇＢｅｅ等のラジオ通信技術を介して送信するためのラジオトランスミッタ３１４を備えてもよい。代替的に、第２の通信媒体は、ＲＦＩＤタグを用いたＲＦＩＤ(radio-frequency identification)媒体であってもよい。例えば、ユーザデバイス１０６は、その信号を送信するオンボードバッテリを有するアクティブタグを有してもよい。代替的に、タグは、ＲＦＩＤリーダの存在下でアクティブにされるバッテリアシスト型パッシブであってもよく、代替的に、タグは、パッシブであって、リーダ（例えば、ユーザデバイスのレシーバ）によって送信される無線エネルギを利用してもよい。
【００５４】
照明器具１０４は、ユーザデバイス１０６からＦＲＣを含むコマンドを受信するように構成される。照明器具１０４は、必要に応じて、コマンドからＦＲＣを抽出するように構成されてもよい。照明器具１０４はさらに、コマンドがファクトリーリセットタイムアウト期間内に受信される場合、照明器具のファクトリーリセット（例えば、工場出荷時又は初期設定への復元）を実施するように構成される。すなわち、（例えば、タイムアウト期間をトリガするためのメッセージの受信から所定の期間内に）ＦＲＣが受信される場合に照明器具１０４がファクトリーリセットを実施することになるタイムウインドウがある。照明器具１０４は、ＦＲＣがファクトリータイムアウト期間外、例えば、タイムアウト期間をトリガするためのメッセージの受信から所定の期間の後に受信される場合、ファクトリーリセットを実施しないように構成されてもよい。
【００５５】
システムは、コミッショナが、ＦＲＣを含むコマンドを送信するために存在し、照明器具１０４の近くにいることを要求することが有利である。言い換えれば、照明器具１０４をリセットしようとする者は、コマンドを送信する際に照明器具１０４の局所的に制約された範囲(locally constrained range)内にいなければならない。さらに、コミッショナは、コマンドを送信するためのわずかなタイムアウト期間しか持たず、該タイムアウト期間外に、照明器具１０４は、ＦＲＣの受信によってトリガされなくてもよい。
【００５６】
いくつかの実施形態では、第２の（無線）通信媒体は、単に限定された範囲（半径）以外の、ユーザデバイスから照明器具１０４へのコマンドの送信を制限する少なくとも１つの追加の物理的制約を有してもよい。例えば、少なくとも１つの追加の物理的制約は、（ａ）照明器具１０４とユーザデバイス１０６との間の視線を必要とすること、及び（ｂ）照明器具１０４とユーザデバイス１０６との間の物理的接触を必要とすることのうちの１つを含んでもよい。代替的な実施形態では、第２の通信媒体はＮＦＣ媒体であり、第２の通信媒体の限定された範囲は、ＮＦＣ範囲、例えば、４ｃｍである。これの利点は、照明器具１０４と直接接触しているか、又は例えば照明器具１０４の直下にいる人だけが、リセットコードを含むコマンドを送信することができることである。
【００５７】
追加的又は代替的に、第１の通信媒体は、単に限定された範囲（半径）以外の、ユーザデバイス１０６から照明器具１０４へのメッセージの送信を制限する少なくとも１つの追加の物理的制約を有してもよい。
【００５８】
ある実施形態では、照明器具１０４は、ＦＲＣを含むコマンドがファクトリーリセットタイムアウト内に受信されるかどうかを判断するように構成されてもよい。例えば、照明器具１０４は、タイムアウト期間をトリガするためのユーザデバイス１０６からのメッセージの受信と、ＦＲＣを含むユーザデバイス１０６からのコマンドの受信との間の期間を決定してもよい。別の例では、メッセージ及びコマンドは各々、それぞれの送信タイムスタンプを含んでもよい。照明器具１０４は、メッセージが送信されてから設定期間（すなわち、タイムアウト期間）内にコマンドが送信されたかどうかを判断するために２つのタイムスタンプを比較してもよい。別の例では、照明器具１０４は、メッセージ及びコマンドの到着タイムを記録し、２つの到着タイムを比較してもよい。
【００５９】
照明器具１０４は、期間がタイムアウト期間よりも短い場合にのみ、コマンドのファクトリーリセットを実施してもよい。例えば、照明器具１０４は、照明器具１０４が最初にユーザデバイス１０６からメッセージを受信してから設定された時間量（例えば、数分、１時間、１日）以上経過した後に受信される場合、コマンドを効果的に無視してもよい。これの利点は、セキュリティを高めるために、ユーザデバイス１０６は、リセットをトリガするための限られた時間量しか持たないことである。
【００６０】
任意選択的な特徴として、ファクトリーリセットタイムアウト期間をトリガするためのメッセージは、ファクトリーリセットタイムアウト期間を含んでもよい。すなわち、メッセージは、タイムアウト期間が何であるかを、例えば、秒、分、時間等の単位で、照明器具１０４に通知してもよい。例えば、メッセージは、メッセージを受信してから１分以内にのみＦＲＣを受け入れるように照明器具１０４に伝えてもよい。代替的に、メッセージは、特定の時刻の前に受信される場合にのみ、ＦＲＣコマンドを受け入れるように照明器具１０４に伝えてもよい。メッセージは、照明器具の時計をユーザデバイス１０６の時計と同期させてもよい。
【００６１】
ユーザデバイス１０６は、ユーザデバイス１０６のユーザがタイムアウト期間を設定することを可能にするように構成されるユーザインターフェース３０２を有してもよい。例えば、ユーザは、数秒、１分等のタイムアウト期間を設定してもよい。設定されたタイムアウト期間は、上述したように、メッセージに含まれてもよい。
【００６２】
いくつかの実施形態では、システムは、１つ以上の追加の照明器具を含む。例えば、システムは、第２の照明器具を含んでもよい。第２の照明器具１０４は、第１の照明器具と同じ動作を実行するように構成される。ユーザデバイス１０６は、第２の照明器具に、第２の照明器具の第２のファクトリーリセットタイムアウト期間の開始をトリガするためのメッセージを送信してもよい。メッセージは、第１の通信媒体を介して、例えば、Ｂｌｕｅｔｏｏｔｈを介して送信されてもよい。また、ユーザデバイス１０６は、第２の照明器具のＦＲＣを含むコマンドを第２の照明器具１０４に送信してもよい。第２のコマンドは、第２の通信媒体を介して、例えば、赤外線を介して送信されてもよい。第２の照明器具は、第１の通信媒体及び第２の通信媒体をそれぞれ介してメッセージ及びコマンドを受信するように構成されてもよい。第２の照明器具は、ＦＲＣを含むコマンドが第２のファクトリーリセットタイムアウト期間内にユーザデバイス１０６から受信される場合、第２の照明器具のファクトリーリセットを実施するように構成されてもよい。
【００６３】
ユーザデバイス１０６は、システム内の各照明器具１０４のファクトリーリセットタイムアウト期間の開始をトリガする単一のメッセージをブロードキャストしてもよい。例えば、同じメッセージが、例えば有線接続を介して、ユーザデバイス１０６に接続される各照明器具１０４に送信されてもよい。これの利点は、１つのメッセージで２つ以上の照明器具をＦＲＣの受信のためにオープンさせることができることである。例えば、ユーザは、環境内の所与のゾーン内の全ての照明器具１０４をリセットしたい、又は環境内の全ての照明器具１０４をリセットしたいと望む場合がある。
【００６４】
第１のＦＲＣ及び第２のＦＲＣは同一であってもよい。すなわち、２つ以上の照明器具１０４は、同じファクトリーリセットコードによってリセットされてもよい。これは、２つ以上の照明器具１０４がユーザデバイス１０６によって同時にリセットされることを可能にし得る。これらの例では、ユーザデバイス１０６は、例えばコード化光を介して、共有(shared)ＦＲＣを含む単一のコマンドをブロードキャストしてもよい。これの利点は、例えばネットワークグループの照明器具１０４が一斉にリセットされることができることである。代替的に、各照明器具１０４は、当該照明器具１０４のファクトリーリセットのみを引き起こす固有のファクトリーリセットコードを有してもよい。
【００６５】
ユーザデバイス１０６は、ユーザデバイス１０６のローカルストレージ及び／又はサーバ（例えば、クラウド）に１つ以上の照明器具のＦＲＣを保存してもよい。例えば、ユーザデバイス１０６は、例えば、ユーザインターフェースを介してユーザから、又はインターネットを介して製造者からＦＲＣを受信し、後で使用するためにＦＲＣを保存してもよい。照明器具１０４をリセットする要求がある場合、例えば、タイムアウト期間の開始をトリガするためのメッセージを送信した後、ＦＲＣは、ローカルストレージ及び／又はサーバから取得され、コマンドにおいて照明器具１０４に送信される。
【００６６】
図４は、本明細書で述べられる実施形態による例示的なタイミング図を示す。図４の例では、時間は、破線に沿ってページの上から下へと流れる。
【００６７】
図４に示される例では、Ｓ０１において、照明器具のタイムアウト期間の開始をトリガするためのメッセージが、ユーザデバイス１０６によってセキュアで信頼されたネットワークを介して送信され、照明器具１０４によって受信される。ここで、ユーザデバイス１０６は、スマートフォンであってもよい。信頼されたネットワークは、ラジオ周波数ネットワークであってもよい。メッセージは、メッシュネットワークを介してユーザデバイス１０６に、場合によってはクラウドを介して送信されてもよい。
【００６８】
照明器具１０４をリセットする必要がある場合、ファクトリーリセットキーが、（例えばアプリを介して）ユーザデバイス１０６のメモリから又はクラウドストレージから取得され、Ｓ０２において、赤外線（又はコード化光、ＮＦＣ、Ｕコード等）コマンドとして照明器具１０４に送信されてもよい。コマンドを受信すると、照明器具１０４は、タイムアウト期間内にファクトリーリセットキーが受信されたか否かを判断する。このプロシージャは、（ＩＲの使用に起因して）ファクトリーリセットコードを送信する者が照明器具の下に立っていることを認証する。
【００６９】
コントローラ３０４は、以下及び本明細書の他の場所で述べられるユーザデバイス１０６の動作を実行するように構成される。例えば、コントローラ３０４は、ユーザインターフェース３０２を介してユーザコマンドを受けるように構成される。コントローラ３０４はまた、上記で詳述したように、無線トランシーバ３０８を介して環境１００内の１つ以上の照明器具１０４と通信するように構成される。コントローラ３０４はまた、以下で詳述するように、無線トランシーバ３０８を介して中央ブリッジ又はサーバ３１２と通信するように構成される。コントローラ３０４はまた、照明器具１０４へのコマンドの送信をもたらすように構成される。コントローラ３０４はまた、受信されたメッセージを処理する、例えば、ＦＲＣを抽出するように構成される。
【００７０】
同様に、コントローラ３２２は、照明器具１０４と同等の動作を行うように構成される。
【００７１】
ある実施形態では、コントローラ３０４は、メモリに格納され、プロセッサでの実行のために構成されるソフトウェアの形態で実装される（ソフトウェアが格納されるメモリは、ＥＥＰＲＯＭ(electrically erasable programmable read-only memory)又は磁気ドライブ等の１つ以上の記憶媒体を使用する１つ以上のメモリユニットを含み、ソフトウェアが実行されるプロセッサは、１つ以上の処理ユニットを含む）。代替的に、コントローラ３０４の一部又は全ては、専用ハードウェア回路、又はＡＳＩＣ (application-specific integrated circuit)、ＰＧＡ(programmable gain amplifier)若しくはＦＰＧＡ(field-programmable gate array)等のコンフィギュラブル若しくはリコンフィギュラブルなハードウェア回路で実装されてもよい。どのような形態であっても、ある実施形態では、コントローラ３０４は、単一のユーザデバイス１０６内に、ユーザインターフェース３０２及び無線トランシーバ３０８と共に、すなわち、同じハウジング内に実装されてもよい。代替的に、コントローラ３０４は、部分的又は全体的に、１つ以上の地理的サイトに１つ以上のサーバユニットを含むサーバ又は照明ブリッジ３１２等、外部に実装されてもよい。代替的に、コントローラ３０４は、部分的に又は全体的に、１つ以上のユーザデバイス１０６にわたって実装されてもよい。必要に応じて、適切なリモート通信及び／又は分散処理技術は、それ自体、当業者によく知られているであろう。
【００７２】
照明器具１０４は、照明器具のトランスミッタ３１６及びレシーバ３２０を制御する及びそれらと通信するための、照明器具のトランスミッタ３１６及びレシーバ３２０に動作可能に結合されるコントローラ３２２を備える。ある実施形態では、コントローラ３２２は、メモリに格納され、プロセッサでの実行のために構成されるソフトウェアの形態で実装される（ソフトウェアが格納されるメモリは、ＥＥＰＲＯＭ(electrically erasable programmable read-only memory)又は磁気ドライブ等の１つ以上の記憶媒体を使用する１つ以上のメモリユニットを含み、ソフトウェアが実行されるプロセッサは、１つ以上の処理ユニットを含む）。代替的に、コントローラ３２２の一部又は全ては、専用ハードウェア回路、又はＡＳＩＣ(application-specific integrated circuit)、ＰＧＡ(programmable gain amplifier)若しくはＦＰＧＡ(field-programmable gate array)等のコンフィギュラブル若しくはリコンフィギュラブルなハードウェア回路で実装されてもよい。どのような形態であっても、ある実施形態では、コントローラ３２２は、単一の照明器具１０４内に、無線トランシーバ３１０、トランスミッタ３１６及びレシーバ３２０と共に、すなわち、同じハウジング内に実装されてもよい。代替的に、コントローラ３２２は、部分的又は全体的に、１つ以上の地理的サイトに１つ以上のサーバユニットを含むサーバ又は照明ブリッジ３１２等、外部に実装されてもよい。代替的に、コントローラ３２２は、部分的に又は全体的に、１つ以上の照明器具１０４にわたって実装されてもよい。
【００７３】
ある実施形態では、サーバ／中央ブリッジ３１２の機能性は、メモリに格納され、プロセッサでの実行のために構成されるソフトウェアの形態で実装される（ソフトウェアが格納されるメモリは、ＥＥＰＲＯＭ又は磁気ドライブ等の１つ以上の記憶媒体を使用する１つ以上のメモリユニットを含み、ソフトウェアが実行されるプロセッサは、１つ以上の処理ユニットを含む）。代替的に、サーバ／中央ブリッジ３１２の機能性の一部又はすべてが、専用ハードウェア回路、又はＡＳＩＣ、ＰＧＡ若しくはＦＰＧＡ等のコンフィギュラブル若しくはリコンフィギュラブルなハードウェア回路で実装され得ることが除外されるものではない。また、サーバ又は中央ブリッジ３１２は、環境１００内でローカルに、又は遠隔地に実装されてもよく、１つ以上の地理的サイトに１つ以上の物理ユニットを備えてもよいことにも留意されたい。
【００７４】
図面、本開示、及び添付の請求項の検討によって、開示される実施形態に対する他の変形形態が、当業者により理解されることができ、また、特許請求される発明を実施する際に実行されることができる。請求項では、単語「含む（comprising）」は、他の要素又はステップを排除するものではなく、不定冠詞「１つの（a）」又は「１つの（an）」は、複数を排除するものではない。単一のプロセッサ又は他のユニットが、請求項において列挙される、いくつかの項目の機能を果たしてもよい。特定の手段が、互いに異なる従属請求項内に列挙されているという単なる事実は、これらの手段の組み合わせが、有利に使用され得ないことを示すものではない。コンピュータプログラムは、他のハードウェアと共に、又は他のハードウェアの一部として供給される、光学記憶媒体又は固体媒体等の、好適な媒体において記憶／頒布されてもよいが、インターネット、又は他の有線若しくは無線の電気通信システム等を介して、他の形態で頒布されてもよい。請求項中のいかなる参照符号も、範囲を限定するものとして解釈されるべきではない。
【図１】
2021520617.tif 000003
【図２】
2021520617.tif 000004
【図３】
2021520617.tif 000005
【図４】
2021520617.tif 000006
【手続補正書】
【提出日】令和2年12月4日(2020.12.4)
【手続補正１】
【補正対象書類名】特許請求の範囲
【補正対象項目名】全文
【補正方法】変更
【補正の内容】
【特許請求の範囲】
【請求項１】
照明器具と、
ユーザデバイスと、
を含む、前記照明器具のリセットを実施するためのシステムであって、
前記ユーザデバイスは、前記照明器具に、前記照明器具のファクトリーリセットタイムアウト期間の開始をトリガするためのメッセージを送信するように構成され、前記メッセージは、第１の通信媒体を介して送信され、
前記照明器具は、前記ユーザデバイスから、前記照明器具のファクトリーリセットタイムアウト期間の開始をトリガするための前記メッセージを受信するように構成され、前記メッセージは、前記第１の通信媒体を介して受信され、
前記ユーザデバイスは、該ユーザデバイスから前記照明器具に直接、前記照明器具のファクトリーリセットをトリガするためのファクトリーリセットコードを含むコマンドを送信するように構成され、前記コマンドは、第２の、異なる、限定された物理的送信範囲を有する無線通信媒体を介して送信され、前記第２の無線通信媒体は、ａ）赤外線、ｂ）コード化光、ｃ）ラジオ又はｄ）近距離通信から選択されていて、
前記照明器具は、前記ユーザデバイスから、ファクトリーリセットコードを含む前記コマンドを受信するように構成され、前記コマンドは、前記第２の無線通信媒体を介して受信され、
前記照明器具は、ファクトリーリセットコードを含む前記コマンドが前記ファクトリーリセットタイムアウト期間内に前記ユーザデバイスから受信される場合、該照明器具のファクトリーリセットを実施するように構成される、
システム。
【請求項２】
前記第２の無線通信媒体は、前記ユーザデバイスから前記照明器具への前記コマンドの送信を制限する少なくとも１つの追加の物理的制約を有する、請求項１に記載のシステム。
【請求項３】
前記少なくとも１つの追加の物理的制約は、ａ）前記照明器具と前記ユーザデバイスとの間の視線を必要とすること、及びｂ）前記照明器具と前記ユーザデバイスとの間の物理的接触を必要とすることのうちの少なくとも１つを含む、請求項２に記載のシステム。
【請求項４】
前記照明器具は、ファクトリーリセットコードを含む前記コマンドが前記ファクトリーリセットタイムアウト期間内に受信されるかどうかを判断するように構成される、請求項１乃至３のいずれか一項に記載のシステム。
【請求項５】
前記第１の通信媒体は、ラジオである、請求項１乃至４のいずれか一項に記載のシステム。
【請求項６】
前記第１の通信媒体は、前記ユーザデバイスと前記照明器具との間の有線通信接続である、請求項１乃至３のいずれか一項に記載のシステム。
【請求項７】
前記ファクトリーリセットタイムアウト期間をトリガするためのメッセージは、前記ファクトリーリセットタイムアウト期間を含む、請求項１乃至６のいずれか一項に記載のシステム。
【請求項８】
前記ユーザデバイスは、前記ユーザデバイスのユーザが前記ファクトリーリセットタイムアウト期間を設定することを可能にするように構成される、請求項１乃至７のいずれか一項に記載のシステム。
【請求項９】
当該システムは、第２の照明器具を含み、
前記ユーザデバイスは、前記第２の照明器具に、前記第２の照明器具の第２のファクトリーリセットタイムアウト期間の開始をトリガするための第２のメッセージを送信するように構成され、前記第２のメッセージは、前記第１の通信媒体を介して送信され、
前記第２の照明器具は、前記ユーザデバイスから、前記第２の照明器具のファクトリーリセットタイムアウト期間の開始をトリガするための前記第２のメッセージを受信するように構成され、前記第２のメッセージは、前記第１の通信媒体を介して受信され、
前記ユーザデバイスは、前記第２の照明器具に、前記第２の照明器具のファクトリーリセットをトリガするためのファクトリーリセットコードを含む第２のコマンドを送信するように構成され、前記第２のコマンドは、前記第２の無線通信媒体を介して送信され、
前記第２の照明器具は、前記ユーザデバイスから、ファクトリーリセットコードを含む前記第２のコマンドを受信するように構成され、前記第２のコマンドは、前記第２の無線通信媒体を介して受信され、
前記第２の照明器具は、ファクトリーリセットコードを含む前記第２のコマンドが前記第２のファクトリーリセットタイムアウト期間内に前記ユーザデバイスから受信される場合、該第２の照明器具のファクトリーリセットを実施するように構成される、請求項１乃至８のいずれか一項に記載のシステム。
【請求項１０】
前記ユーザデバイスは、当該システム内の１つ以上の照明器具のファクトリーリセットタイムアウト期間の開始をトリガするための単一のメッセージをブロードキャストするように構成され、前記単一のメッセージは、前記第１の通信媒体を介してブロードキャストされる、請求項９に記載のシステム。
【請求項１１】
１つ以上の照明器具が同じファクトリーリセットコードを共有し、前記ユーザデバイスは、前記共有されるファクトリーリセットコードを含む単一のコマンドをブロードキャストするように構成され、前記単一のコマンドは、前記第２の無線通信媒体を介してブロードキャストされる、請求項９又は１０に記載のシステム。
【請求項１２】
照明器具のリセットを実施する方法であって、
ユーザデバイスから前記照明器具に、前記照明器具のファクトリーリセットタイムアウト期間の開始をトリガするためのメッセージを送信するステップであって、前記メッセージは、第１の通信媒体を介して送信される、ステップと、
前記照明器具において前記ユーザデバイスから、前記照明器具のファクトリーリセットタイムアウト期間の開始をトリガするための前記メッセージを受信するステップであって、前記メッセージは、前記第１の通信媒体を介して受信される、ステップと、
前記ユーザデバイスから前記照明器具に直接、前記照明器具のファクトリーリセットをトリガするためのファクトリーリセットコードを含むコマンドを送信するステップであって、前記コマンドは、第２の、異なる、限定された送信範囲を有する無線通信媒体を介して送信され、前記第２の無線通信媒体は、ａ）赤外線、ｂ）コード化光、ｃ）ラジオ又はｄ）近距離通信から選択されている、ステップと、
前記照明器具において前記ユーザデバイスから、ファクトリーリセットコードを含む前記コマンドを受信するステップであって、前記コマンドは、前記第２の無線通信媒体を介して受信される、ステップと、
ファクトリーリセットコードを含む前記コマンドが前記ファクトリーリセットタイムアウト期間内に前記ユーザデバイスから受信される場合、前記照明器具のファクトリーリセットを実施するステップと、
を含む、方法。
【請求項１３】
照明器具であって、
第１の通信媒体を介してユーザデバイスから、当該照明器具のファクトリーリセットタイムアウト期間の開始をトリガするためのメッセージを受信するように構成される第１のレシーバと、
第２の、異なる、限定された送信範囲を有する無線通信媒体であって、ａ）赤外線、ｂ）コード化光、ｃ）ラジオ又はｄ）近距離通信から選択されている第２の無線通信媒体を介して前記ユーザデバイスから直接、ファクトリーリセットコードを含むコマンドを受信するように構成される第２のレシーバと、
ファクトリーリセットコードを含む前記コマンドが前記ファクトリーリセットタイムアウト期間内に受信されるかどうかを判断する、及び
ファクトリーリセットコードを含む前記コマンドが前記ファクトリーリセットタイムアウト期間内に前記ユーザデバイスから受信されることが判断される場合、当該照明器具のファクトリーリセットを実施するように構成されるコントローラと、
を含む、照明器具。
【請求項１４】
当該照明器具は、ファクトリーリセットコードを含む前記コマンドが前記ファクトリーリセットタイムアウト期間内に受信されるかどうかを判断するように構成される、請求項１３に記載の照明器具。
【請求項１５】
ユーザデバイスであって、
照明器具に、該照明器具のファクトリーリセットタイムアウト期間の開始をトリガするためのメッセージを送信するように構成される第１のトランスミッタであって、前記メッセージは、第１の通信媒体を介して送信される、第１のトランスミッタと、
前記照明器具に直接、前記照明器具のファクトリーリセットをトリガするためのファクトリーリセットコードを含むコマンドを送信するように構成される第２のトランスミッタであって、前記コマンドは、第２の、異なる、限定された送信範囲を有する無線通信媒体であって、ａ）赤外線、ｂ）コード化光、ｃ）ラジオ又はｄ）近距離通信から選択されている第２の無線通信媒体を介して送信される、第２のトランスミッタと、
前記第１のトランスミッタに前記照明器具のファクトリーリセットタイムアウト期間の開始をトリガするための前記メッセージを送信させる、及び
前記第２のトランスミッタにファクトリーリセットコードを含む前記コマンドを送信させるように構成されるコントローラと、
を含む、ユーザデバイス。
【国際調査報告】
2021520617.tif 000007
2021520617.tif 000008
2021520617.tif 000009